(57)【要約】      （修正有）【課題】弾性を増大させるゴルフクラブヘッドを提供する。【解決手段】弾性を増大させるゴルフクラブヘッドは本体１０およびフェイス部材２０を備える。本体１０は正面および背面を有する。フェイス部材２０は本体１０の正面に配置され、頂辺縁部、底辺縁部、正面および背面を有する。フェイス部材２０の正面は打撃面になる。フェイス部材２０はフェンス部位２５および屈折部位２６を有する。フェンス部位２５はフェイス部材２０の底辺縁部から背面に向かって伸びて形成される。屈折部位２６はフェンス部位２５の一部分が奥に向かって凹むことによって形成される。フェイス部材２０がボールを打撃する際、屈折部位２６は変形し、跳ね返る弾力を生じることができる。【選択図】図３
0003223100.tif 000002
【実用新案登録請求の範囲】
【請求項１】
本体およびフェイス部材を備え、
前記本体は正面、背面、頂辺縁部、底辺縁部、ヒール部およびトウ部を有し、前記ヒール部は前記本体の一側に配置され、前記トウ部は前記本体のヒール部に相対する別の一側に配置され、
前記フェイス部材は前記本体の前記正面に配置され、形が前記本体の形に対応した形の、頂辺縁部および底辺縁部、正面および背面に分けられ、前記正面は打撃面であり、
前記フェイス部材はフェンス部位および屈折部位を有し、前記フェンス部位は前記フェイス部材の前記底辺縁部から前記背面に向かって伸びて形成され、前記屈折部位は前記フェンス部位の一部分が奥に向かって凹むことによって形成され、
前記フェイス部材がボールを打撃する際、前記屈折部位は変形し、跳ね返る弾力を生じることができることを特徴とする、
弾性を増大させるゴルフクラブヘッド。
【請求項２】
前記屈折部位は、上向き屈折部、カーブ部および下向き屈折部を有するため、変形して復元力を生じる弾性部位になることを特徴とする請求項１に記載の弾性を増大させるゴルフクラブヘッド。
【請求項３】
前記フェンス部の始点から末端までの部位は、第一横部位、前記屈折部位および第二横部位に分けられることを特徴とする請求項２に記載の弾性を増大させるゴルフクラブヘッド。
【請求項４】
前記屈折部位は円弧形であることを特徴とする請求項３に記載の弾性を増大させるゴルフクラブヘッド。
【請求項５】
前記屈折部位はＶ字型であることを特徴とする請求項３に記載の弾性を増大させるゴルフクラブヘッド。
【請求項６】
前記屈折部位は、配置位置の長さが前記フェイス部材の長さの１／８から８／８の間であり、前記フェイス部材の長さは前記フェイス部材の左側から右側までの最長距離であることを特徴とする請求項１に記載の弾性を増大させるゴルフクラブヘッド。
【請求項７】
前記屈折部位は、配置位置の幅がヘッドの底部の幅の１／２から１／８の間であり、前記ヘッドの底部の幅は前記フェイス部材の前記底辺縁部から前記本体の前記背面の前記底辺縁部までの最大幅であることを特徴とする請求項１に記載の弾性を増大させるゴルフクラブヘッド。
【請求項８】
前記屈折部位の深さは前記フェイス部材の前記頂辺縁部から前記底辺縁部までの最大高さの５／１００から３０／１００であることを特徴とする請求項１に記載の弾性を増大させるゴルフクラブヘッド。
【請求項９】
前記フェンス部位の二か所に前記屈折部位が形成されることを特徴とする請求項１に記載の弾性を増大させるゴルフクラブヘッド。
【請求項１０】
二か所の前記屈折部位は、配置位置の全長が前記フェイス部材の長さの１／８から８／８の間であることを特徴とする請求項９に記載の弾性を増大させるゴルフクラブヘッド。
【考案の詳細な説明】
【技術分野】
【０００１】
本考案はゴルフクラブに関し、詳しくは打撃弾性を増大させるゴルフクラブヘッドに関するものである。
【背景技術】
【０００２】
一般のゴルフクラブはシャフトおよびゴルフクラブヘッドから構成される。図１に示すように、ゴルフクラブヘッドは本体１およびフェイス部材２を有する。市販のゴルフクラブヘッドにおいて、フェイス部材は平板式フェイス部材およびカップ式フェイス部材に分けられ、多くの材料が片状プレートである。
図１に示すように、平板式フェイス部材は片状プレートの周縁部と本体とが結合することによって固定される。それに対して、カップ状フェイス部材は片状プレートの周縁部が片状プレートの環状壁面を囲むように広がり、続いて環状壁面と本体とを結合させることによって構成される。上述した平板式フェイス部材およびカップ式フェイス部材は衝撃を受けて変形し、打撃弾性を生じる。
【考案の概要】
【考案が解決しようとする課題】
【０００３】
本考案は、打撃面の打撃弾性を増大させるゴルフクラブヘッドを提供することを主な目的とする。
【課題を解決するための手段】
【０００４】
上述した課題を解決するための弾性を増大させるゴルフクラブヘッドは、本体およびフェイス部材を備える。本体は正面および背面を有する。フェイス部材は本体の正面に配置され、形が本体の形に応じる頂辺縁部および底辺縁部、正面および背面に分けられる。フェイス部材の正面は打撃面になる。フェイス部材はフェンス部位および屈折部位を有する。フェンス部位はフェイス部材の底辺縁部から背面に向かって伸びて形成される。屈折部位はフェンス部位の一部分が奥に向かって凹むことによって形成される。フェイス部材がボールを打撃する際、屈折部位は変形し、跳ね返る弾力を生じることができる。
【図面の簡単な説明】
【０００５】
【図１】従来のゴルフクラブヘッドを示す模式図である。
【図２】本考案の第１実施形態による弾性を増大させるゴルフクラブヘッドを示す斜視図である。
【図３】本考案の第１実施形態による弾性を増大させるゴルフクラブヘッドを別の角度から見た斜視図である。
【図４】本考案の第１実施形態による弾性を増大させるゴルフクラブヘッドを別の角度から見た斜視図である。
【図５】本考案の第１実施形態による弾性を増大させるゴルフクラブヘッドを示す底面図である。
【図６】本考案の第１実施形態による弾性を増大させるゴルフクラブヘッドを示す分解斜視図である。
【図７】図２中の７−７線に沿った断面図である。
【図８】本考案の第２実施形態による弾性を増大させるゴルフクラブヘッドを示す底面図である。
【考案を実施するための形態】
【０００６】
以下、本考案による弾性を増大させるゴルフクラブヘッドを図面に基づいて説明する。なお、明細書において、構造、使い道および応用に関わる記載および技術用語は本考案を限定できないことは、これに関連する領域において常識がある人ならば理解できるはずである。上下、左右、頂部、底部、内側、外側などの方向性の用語は図面に示した方向に基づいて表現される。
【０００７】
明細書において、説明のために挙げた部位の数は一つであるとは限らず、複数であってもよい。つまり、本考案は下記の実施形態になんら限定されるものではなく、考案の趣旨を逸脱しない範囲において種々の形態で実施可能である。
【０００８】
（第１実施形態）
図２から図７に示すように、本考案の第１実施形態による弾性を増大させるゴルフクラブヘッドは本体１０およびフェイス部材２０を備える。
【０００９】
本体１０は、正面１１、背面１２、頂辺縁部１３、底辺縁部１４、ヒール部１５、トウ部１６およびネック部１７を有する。ヒール部１５は本体１０の一側に配置される。トウ部１６は本体１０のヒール部１５に相対する別の一側に配置される。ネック部１７はヒール部１５に形成され、シャフト（図中未表示）に連結される。本体１０はさらに正面１１に環状凹溝１１１を有する。
【００１０】
フェイス部材２０は、本体１０の正面１１１に配置され、形が本体１０の形に応じる頂辺縁部２１および底辺縁部２２、正面２３および背面２４に分けられる。フェイス部材２０の正面２３は打撃面になる。フェイス部材２０は環状リブ２４１、フェンス部２５および屈折部位２６を有する。環状リブ２４１はフェイス部材２０の背面２４に形成される。フェンス部２５はフェイス部材２０の底辺縁部２２から背面２４の方向に向かって伸びて形成される。屈折部位２６はフェンス部２５の一部分が奥に凹むことによって形成されるとともにフェンス部２５を拡張する。拡張されたフェンス部２５の始点から末端までの部位は第一横部位２５１、屈折部位２６および第二横部位２５２に分けられる。屈折部位２６は上向き屈折部２６１、カーブ部２６２および下向き屈折部２６３を有するため、変形によって復元力を生じる弾性部位になる。
図７に示すように、屈折部位２６は円弧状またはＶ字型に形成されてもよい。フェイス部材２０は環状リブ２４１によって本体１０の環状凹溝１１１に嵌まり込んで本体１０の正面１１に装着され、接着方式、溶接方式または締付方式によって固定される。
【００１１】
本考案において、フェイス部材２０がボールを打撃する際、フェイス部２５に形成された屈折部位２６は変形して跳ね返る弾力を生じる。つまり、ボールを打撃したフェイス部材２０は正面２３の変形によって弾力を生じるだけでなく、屈折部位２６の変形によって復元力を生じるため、ゴルフクラブの打撃力およびボールの飛距離を増大させることができる。
屈折部位２６に跳ね返る力を生じさせるためには、屈折部位２６の長さおよび幅を一定の比で設定することが必要である。本実施形態において、屈折部位２６の長さＬ２はフェイス部材２０の長さＬ１の１／８から８／８の間である。フェイス部材２０の長さＬ１は左側から右側までの最長距離である。屈折部位２６の幅Ｗ２はヘッドの底部の幅Ｗ１の１／２から１／８の間である。ヘッドの底部の幅Ｗ１はフェイス部材２０の底辺縁部２２から本体１０の背面１２の底辺縁部１４までの最大幅である。屈折部位２６の深さＨ２はフェイス部材２０の頂辺縁部１３から底辺縁部１４までの最大高さＨ１の５／１００から３０／１００である。
【００１２】
（第２実施形態）
本実施形態において、屈折部位１２は一箇所であるが、これに限らない。図８は本考案の第２実施形態による弾性を増大させるゴルフクラブヘッドを示す底面図である。第１実施形態との違いは次のとおりである。
第１実施形態はフェンス部位２５の右側を陥没させて左側へ屈折させて屈折部位２６を形成する。第２実施形態はフェイス部材２０の長軸に沿ってフェンス部位２５に二つの連続しない屈折部位２６および中断部位２７を形成する。中断部位２７は二つの屈折部位２６の間に位置付けられ、跳ね返る力が比較的弱い部位である。第２実施形態は中断部位２７を配置し、中断部位２７の幅を変更することによってフェイス部材２０の打撃力を変更し、ボールの飛距離および飛行方向を調整することができる。
【００１３】
第２実施形態において、屈折部位２６は二か所に形成され、配置位置の全長がフェイス部材２０の長さＬ１の１／８から９／１０の間であり、設置位置の幅がヘッドの底部の幅Ｗ１の１／２から１／８の間である。二か所の屈折部位２６の長さは同じであるとは限らず、一致しなくてもよい。二か所の屈折部位２６の幅は同じであるとは限らず、一致しなくてもよい。フェイス部材２０の長さＬ１は左側から右側までの最長距離である。ヘッドの底部の幅Ｗ１はフェイス部材２０の底辺縁部２２から本体１０の背面１２の底辺縁部１４までの最大幅である。
【符号の説明】
【００１４】
１  本体
２  フェイス部材
１０  本体
１１  正面
１２  背面
１３  頂辺縁部
１４  底辺縁部
１５  ヒール部
１６  トウ部
１７  ネック部
１１１  環状凹溝
２０  フェイス部材
２１  頂辺縁部
２２  底辺縁部
２３  正面
２４  背面
２４１  環状リブ
２５  フェンス部位
２５１  第一横部位
２５２  第二横部位
２６  屈折部位
２６１  上向き屈折部
２６２  カーブ部
２６３  下向き屈折部
２７  中断部位
Ｌ１  フェイス部材の長さ
Ｌ２  屈折部位の長さ
Ｗ１  ヘッドの底部の幅
Ｗ２  屈折部位の幅
Ｈ１  フェイス部材の頂辺縁部から底辺縁部までの最大高さ
Ｈ２  屈折部位の湾曲部位の深さ
【図１】
0003223100.tif 000003
【図２】
0003223100.tif 000004
【図３】
0003223100.tif 000005
【図４】
0003223100.tif 000006
【図５】
0003223100.tif 000007
【図６】
0003223100.tif 000008
【図７】
0003223100.tif 000009
【図８】
0003223100.tif 000010
【手続補正書】
【提出日】令和1年7月16日(2019.7.16)
【手続補正１】
【補正対象書類名】実用新案登録請求の範囲
【補正対象項目名】全文
【補正方法】変更
【補正の内容】
【実用新案登録請求の範囲】
【請求項１】
本体およびフェイス部材を備え、
前記本体は正面、背面、頂辺縁部、底辺縁部、ヒール部およびトウ部を有し、前記ヒール部は前記本体の一側に配置され、前記トウ部は前記本体のヒール部に相対する別の一側に配置され、
前記フェイス部材は前記本体の前記正面に配置され、形が前記本体の形に対応した形の、頂辺縁部および底辺縁部、正面および背面に分けられ、前記正面は打撃面であり、
前記フェイス部材はフェンス部位および屈折部位を有し、前記フェンス部位は前記フェイス部材の前記底辺縁部から前記背面に向かって伸びて形成され、前記屈折部位は前記フェンス部位の一部分が奥に向かって凹むことによって形成され、
前記フェイス部材がボールを打撃する際、前記屈折部位は変形し、跳ね返る弾力を生じることができることを特徴とする、
弾性を増大させるゴルフクラブヘッド。
【請求項２】
前記屈折部位は、上向き屈折部、カーブ部および下向き屈折部を有するため、変形して復元力を生じる弾性部位になることを特徴とする請求項１に記載の弾性を増大させるゴルフクラブヘッド。
【請求項３】
前記フェンス部位の始点から末端までの部位は、第一横部位、前記屈折部位および第二横部位に分けられることを特徴とする請求項２に記載の弾性を増大させるゴルフクラブヘッド。
【請求項４】
前記屈折部位は円弧形であることを特徴とする請求項３に記載の弾性を増大させるゴルフクラブヘッド。
【請求項５】
前記屈折部位はＶ字型であることを特徴とする請求項３に記載の弾性を増大させるゴルフクラブヘッド。
【請求項６】
前記屈折部位は、配置位置の長さが前記フェイス部材の長さの１／８から８／８の間であり、前記フェイス部材の長さは前記フェイス部材の左側から右側までの最長距離であることを特徴とする請求項１に記載の弾性を増大させるゴルフクラブヘッド。
【請求項７】
前記屈折部位は、配置位置の幅がヘッドの底部の幅の１／２から１／８の間であり、前記ヘッドの底部の幅は前記フェイス部材の前記底辺縁部から前記本体の前記背面の前記底辺縁部までの最大幅であることを特徴とする請求項１に記載の弾性を増大させるゴルフクラブヘッド。
【請求項８】
前記屈折部位の深さは前記フェイス部材の前記頂辺縁部から前記底辺縁部までの最大高さの５／１００から３０／１００であることを特徴とする請求項１に記載の弾性を増大させるゴルフクラブヘッド。
【請求項９】
前記フェンス部位の二か所に前記屈折部位が形成されることを特徴とする請求項１に記載の弾性を増大させるゴルフクラブヘッド。
【請求項１０】
二か所の前記屈折部位は、配置位置の全長が前記フェイス部材の長さの１／８から８／８の間であることを特徴とする請求項９に記載の弾性を増大させるゴルフクラブヘッド。
【手続補正２】
【補正対象書類名】明細書
【補正対象項目名】００１０
【補正方法】変更
【補正の内容】
【００１０】
フェイス部材２０は、本体１０の正面１１１に配置され、形が本体１０の形に応じる頂辺縁部２１および底辺縁部２２、正面２３および背面２４に分けられる。フェイス部材２０の正面２３は打撃面になる。フェイス部材２０は環状リブ２４１、フェンス部位２５および屈折部位２６を有する。環状リブ２４１はフェイス部材２０の背面２４に形成される。フェンス部位２５はフェイス部材２０の底辺縁部２２から背面２４の方向に向かって伸びて形成される。屈折部位２６はフェンス部位２５の一部分が奥に凹むことによって形成されるとともにフェンス部位２５を拡張する。拡張されたフェンス部位２５の始点から末端までの部位は第一横部位２５１、屈折部位２６および第二横部位２５２に分けられる。屈折部位２６は上向き屈折部２６１、カーブ部２６２および下向き屈折部２６３を有するため、変形によって復元力を生じる弾性部位になる。
図７に示すように、屈折部位２６は円弧状またはＶ字型に形成されてもよい。フェイス部材２０は環状リブ２４１によって本体１０の環状凹溝１１１に嵌まり込んで本体１０の正面１１に装着され、接着方式、溶接方式または締付方式によって固定される。